(57)【特許請求の範囲】
【請求項１】
浴室洗い場に凹設された排水部を覆う蓋部と、蓋部の外縁から下方に向けて突設された支持片とを備え、
蓋部の上面が浴室洗い場床と略面一となるようにして排水部に取り付けられる排水蓋であって、
蓋部と支持片との表面を形成する合成樹脂製の表面層と、
表面層に一体成形され、表面層の支持片部分に沿って端部が屈曲した金属板からなる補強層とを備え、
当該排水蓋の裏面は金属板の背面で構成され、これによりリブのない略平坦な面となっており、
前記金属板は、
前記蓋部の裏側に積層される横面部と、
この横面部の外縁から下方に向けて突設され前記支持片の裏側に積層される縦面部と
を有し、
前記縦面部の下端には、前記表面層に埋設される係止部が設けられている
ことを特徴とする、排水蓋。
【発明の詳細な説明】
【技術分野】
【０００１】
本発明は、浴室洗い場の排水部に取り付けられる排水蓋に関する。
【背景技術】
【０００２】
従来から、浴室洗い場の排水部には排水蓋が取り付けられている（例えば特許文献１参照）。排水蓋は、例えば図４に示されるようなもので、上面が浴室洗い場の床８と略面一となるようにして排水部７に取り付けられる。近年、浴室洗い場は合成樹脂により構成されたものが多い。そのため排水蓋は、浴室洗い場とデザインや材料感を合わせるために合成樹脂により成形されることが一般的となっている。
【０００３】
排水蓋は、図４に示されるように、浴室洗い場床８に凹設された排水部７を覆う蓋部９０と、蓋部９０の外縁から下方に向けて突設された支持片９１とを備えている。さらに排水蓋の裏面には、合成樹脂製の蓋部９０を補強するために、対向する支持片９１間に亙って補強リブ９２が設けられている。この補強リブ９２は短辺及び長辺に平行に複数設けられており、対向する補強リブ９２は、蓋部９０の強度確保のために、狭いピッチで設けられている。
【先行技術文献】
【特許文献】
【０００４】
【特許文献１】特開２００１−１８２１１３号公報
【発明の概要】
【発明が解決しようとする課題】
【０００５】
ところで排水蓋の裏面には水垢やヌメリが付着しやすい。このため排水蓋は、その裏面を中心に頻繁に清掃される。
【０００６】
しかし上記のように排水蓋は、その裏面に補強リブ９２が突設されており、しかも対向する補強リブ９２の間隔が狭くなっている。そのためこの排水蓋を清掃しようとした場合には、補強リブ９２が邪魔になってしまい、清掃しにくいという問題があった。特に、排水蓋の裏面と補強リブ９２とでなす入隅９３や、入隅が集まるコーナー部９４に汚れが付着した場合には、汚れが付着した部分にスポンジ等を行き届かせにくかった。
【０００７】
本発明は、上記事情に鑑みてなされたものであり、その目的とするところは、強度を保ったままその清掃性を向上させた排水蓋を提供することにある。
【課題を解決するための手段】
【０００８】
上記課題を解決するために本発明の排水蓋は以下の構成とする。
【０００９】
本発明は、浴室洗い場に凹設された排水部７を覆う蓋部２と、蓋部２の外縁から下方に向けて突設された支持片３とを備え、蓋部２の上面が浴室洗い場床８と略面一となるようにして排水部７に取り付けられる排水蓋１である。蓋部２と支持片３との表面を形成する合成樹脂製の表面層４を備える。表面層４に一体成形され、表面層４の支持片３部分に沿って端部が屈曲した金属板５１からなる補強層５をさらに備える。当該排水蓋１の裏面は金属板５１の背面で構成され、これによりリブのない略平坦な面となっている。また、金属板５１は、蓋部２の裏側に積層される横面部５２と、この横面部５２の外縁から下方に向けて突設され支持片３の裏側に積層される縦面部５３とを有している。そして、縦面部５３の下端には、表面層４に埋設される係止部５４が設けられている。
【００１０】
このように排水蓋１の裏面がリブのない略平坦な面となっていると、その裏面に水垢やヌメリが付着しても、その汚れを除去しやすい。一方、蓋部２を踏んでしまった場合であっても、支持片３に沿って端部が屈曲した金属板５１が一体に成形されているため、蓋部２が割れたり、あるいは蓋部２と支持片３との接続部がさらに撓んで折れたりするのを防ぐことができる。
【００１２】
また、排水蓋１の略平坦な面が金属板５１の背面で構成されていると、排水蓋１の裏面には汚れが付着しにくい。
【発明の効果】
【００１３】
本願発明によれば、強度を保ったままその清掃性を向上させた排水蓋を提供することができる。
【図面の簡単な説明】
【００１４】
【図１】本発明の一実施形態の排水蓋を説明するため、一部を破断した図であり（ａ）は平面図（ｂ）は正面図（ｃ）は側面図である。
【図２】同上の正面から見た断面図である。
【図３】他の実施形態の正面から見た断面図である。
【図４】従来の排水蓋を説明するため、一部破断した断面図であり（ａ）は平面図（ｂ）は正面図（ｃ）は側面図である。
【発明を実施するための形態】
【００１５】
以下、本発明の実施形態について添付図面に基づいて説明する。
【００１６】
本実施形態の排水蓋１は、浴室の洗い場に凹設された排水部７に着脱自在に取り付けられる。
【００１７】
排水蓋１は、図１に示されるように、排水部７の開口を覆う蓋部２と、蓋部２の外縁から下方に向けて突設された支持片３とを備え、これらは断面略コ字状となっている。蓋部２は、平面視矩形状をしており、その上面が外縁ほど下方に位置するように（つまりドーム状に）僅かに湾曲した勾配を有している。支持片３は、蓋部２の各辺にそれぞれ設けられており、各支持片３によって蓋部２の下面側を囲むように設けられている。各支持片３には水通し孔３１が穿設されている。この水通し孔３１は、洗い場から排水部７に流れる湯水を通過させる。短辺側の支持片３と長辺側の支持片３の接合部分（つまり排水蓋１の角部分）の下端面には、ゴム等の滑り止め材３２が設けられている。
【００１８】
排水蓋１は、金属板５１をインサート成形した合成樹脂から成る。排水蓋１は、図２に示されるように、蓋部２及び支持片３の外面を形成する表面層４と、表面層４に一体成形された金属板５１からなる補強層５とから構成されている。
【００１９】
表面層４は、合成樹脂により形成されており、合成樹脂としてポリプロピレンが用いられている。
【００２０】
補強層５は金属板５１により構成されており、金属板５１としてステンレス（ＳＵＳ３０４）が用いられている。金属板５１は、蓋部２の形状と外形が略一致する横面部５２と、横面部５２の外縁から下方に向けて突設する縦面部５３とを有している。縦面部５３の下端には、さらに外側方に向けて屈曲する係止部５４が設けられている。本実施形態の金属板５１は、矩形板材の各角部を矩形状に切り欠いたうえで、各端部を下方に屈曲させることで形成される。つまり、溶接を用いずに曲げ加工のみで成形している。また、縦面部５３における水通し孔３１に対応する部位には切欠が設けられており、水通し孔３１から金属板５１が露出しないようになっている。
【００２１】
排水蓋１の裏面には金属板５１の裏面が全面に亙って露出している。つまり本実施形態の排水蓋１の裏面は、金属板５１の背面で構成されている。そのため、排水蓋１の裏面は、略平坦な面となっており、補強用のリブなど存在しない。
【００２２】
このように排水蓋１の裏面がリブのない略平坦な面となっていると、その裏面に水垢やヌメリ等が付着しても、スポンジ等でその汚れを除去しやすい。さらに本実施形態の排水蓋１は、その裏面がステンレスの背面で構成されているため、裏面が樹脂により構成されたものよりも排水蓋１の裏面に汚れが付着しにくい。
【００２３】
また本実施形態の排水蓋１は、仮に蓋部２を踏んでしまった場合であっても、支持片３に沿って端部が屈曲した金属板５１が一体に成形されているため、蓋部２が撓んだり、あるいは蓋部２と支持片３との接続部がさらに撓んで折れたりするのを防ぐことができる。これにより、樹脂部分の厚みを薄くすることも可能であり、強度を保ちつつ材料費を削減することも可能である。
【００２４】
また本実施形態の金属板５１は、曲げ加工のみで成形されており、溶接を用いていないため、溶接部分に汚れが入り込むことがない。つまり溶接部分に汚れが入り込んでしまい、汚れの除去が困難となることも防ぐことができる。
【００２５】
なお、本実施形態では、合成樹脂としてポリプロピレン、金属板５１としてステンレスが用いられていたが、本発明においては特に限定されない。また、本実施形態の排水蓋１は平面視矩形状をしていたが、本発明の排水蓋１は、例えば円形であってもよく、特に限定されるものではない。さらに、本実施形態の金属板５１の加工は溶接を用いない曲げ加工のみで行なわれていたが、本発明においては、溶接により加工したものであってもよく、この点限定されるものではない。
【００２６】
次に、他の実施形態について図３に基づいて説明する。なお、本実施形態は図１及び図２に示す実施形態と大部分において同じであるため、同じ部分においては同符号を付して説明を省略し、主に異なる部分について説明する。
【００２７】
本実施形態の排水蓋１は、金属板５１が表面層４だけでなく裏面層６によっても覆われている。本実施形態の排水蓋１は、図３に示されるように、合成樹脂製の表面層４と、金属板５１からなる補強層５と、合成樹脂製の裏面層６とを備えており、これら３層が一体となっている。
【００２８】
本実施形態によれば、金属板５１の全面が樹脂により覆われているため、金属板５１として耐腐食性のない材質のものを用いることもできる。これによりコストダウンを図ることも可能となる。
【００２９】
以下、本実施形態の排水蓋１の使用例につき説明する。
【００３０】
上記実施形態の排水蓋１は浴室の洗い場の排水部７に取り付けられている。
【００３１】
本使用例の洗い場は、合成樹脂製の防水パンにより構成されている。洗い場は、浴槽の長手方向に直角な方向に並んで設けられており、浴槽側の辺で且つ長手方向の中央に排水部７としての排水口を有している。
【００３２】
排水口は、上方に開口した有底箱形状をしており、その底面には排水トラップ・排水管へと連通する排水孔が設けられている。
【００３３】
本実施形態の排水蓋１は、排水口の底面上に支持片３の下端が当接するようにして載置され、排水口の上方の開口を覆う。このとき排水蓋１の蓋部２の上面は、浴室洗い場床と略面一の状態となる（図１（ｂ）参照）。
【００３４】
洗い場は、排水口に近づく程徐々に下方に位置するような勾配を有している。洗い場に湯水を流すと、その湯水は、排水口の内側面と排水蓋１の外側面との間の隙間から流れ込み、排水口の底面・排水孔と流通し、排水される。また、排水蓋１の蓋部２の上面に付着した湯水は、蓋部２上面の勾配により排水蓋１の外縁側に流下し、排水口の内側面と排水蓋１の外側面との間の隙間に流れ込む。
【００３５】
なお本使用例では排水部７として排水口を例示して説明したが、本発明の排水蓋１は、防水パンの外縁に沿って凹設されるような、排水溝においても当然適用可能である。この場合には、排水溝の長手方向に沿って複数の排水蓋１が並設される。
【符号の説明】
【００３６】
１      排水蓋
２      蓋部
３      支持片
３１    水通し孔
３２    滑り止め材
４      表面層
５      補強層
５１    金属板
５２    横面部
５３    縦面部
５４    係止部
６      裏面層
７      排水部
８      浴室洗い場の床
【図１】
0005567843.tif 000002
【図２】
0005567843.tif 000003
【図３】
0005567843.tif 000004
【図４】
0005567843.tif 000005